(57)【要約】【課題】スムーズな循環流で、清浄化が短時間で行える気体浄化システムを提供する。【解決手段】室内の空気を清浄化する空気清浄機１２を用いた気体浄化システムにおいて、前記空気清浄機１２は、空気を吸い込む吸込み面１３と、空気を吹き出す吹出口１５とを備え、前記吸込み面１３を水平方向に対して第１の角度αで傾斜させ、前記吹出口１５からの空気の吹出し方向を鉛直に対して後方に第２の角度βで傾斜させ、前記第１の角度αと前記第２の角度βの和が、８０゜から１００゜の範囲となるように構成したもので、部屋全体の循環流をスムーズに発生させることができ、吸込み面１３に設けたフィルター部１１によって清浄化が短時間で行え、しかもフィルター部１１を傾斜させることで落下してくる埃を吸引することが容易に行え、低風量で低騒音な空気清浄機とすることができる。【選択図】図１
2012250164.tif 000002
【特許請求の範囲】
【請求項１】
室内の空気を清浄化する空気清浄機を用いた気体浄化システムにおいて、前記空気清浄機は、空気を吸い込む吸込み面と、空気を吹き出す吹出口とを備え、前記吸込み面を水平方向に対して第１の角度αで傾斜させ、前記吹出口からの空気の吹出し方向を鉛直に対して後方に第２の角度βで傾斜させ、前記第１の角度αと前記第２の角度βの和が、８０゜から１００゜の範囲となるように構成した傾斜手段を備えた気体浄化システム。
【請求項２】
空気清浄機は、気体浄化システムを制御する制御手段と、吸込み面に備えたフィルター部と、空気を循環する送風機とを備え、前記制御手段は、前記送風機の送風量の大きさに応じて傾斜手段を制御する請求項１に記載の気体浄化システム。
【請求項３】
制御手段は、送風機の送風量が大きい時は、第２の角度βを大きく取る方向に制御し、送風量が少ない時は、前記第２の角度βを小さくして鉛直方向に近づけるように傾斜手段を制御する請求項２に記載の気体浄化システム。
【請求項４】
吸込み面に第１の角度αで傾斜させて備えたフィルター部と送風機の間に、吸音処理を施したバッファ空間を設けて送風通路とした請求項２または３に項記載の気体浄化システム。
【請求項５】
傾斜手段は、空気を清浄化するフィルター部と、前記フィルター部を傾斜可動させる可動手段とを備え、吸引動作時に、前記可動手段によって吸込み面が傾斜するように動作すると共に、停止時には、前記吸込み面が鉛直方向になるように動作して、前記フィルター部は本体内部に収納される動作を制御手段が行う請求項１〜４のいずれか１項に記載の気体浄化システム。
【請求項６】
空気清浄機は、空気中の不純物を検出する不純物検知手段を備え、制御手段は、前記不純物検知手段が不純物を多く検出する傾斜角度までフィルター部が傾斜するように可動手段を制御する請求項５に記載の気体浄化システム。
【発明の詳細な説明】
【技術分野】
【０００１】
本発明は、部屋の空気を送風機で循環しながら空気を清浄化する気体浄化システムに関するものである。
【背景技術】
【０００２】
従来、この種の気体浄化システムに用いられる空気清浄機は、図９のように構成されていた（例えば、特許文献１参照）。
【０００３】
図９は、上記特許文献１に記載された従来の空気清浄機の斜視図である。
【０００４】
従来の空気清浄機は、本体１の正面の下部に設けた吸込み口２と、正面の上部に設けた吹出し口３と、吸込み口２に設けられ、吸込み口２の開口方向を左右方向に変更する吸込み方向変更手段４とを備え、本体１の内部には、空気を清浄化するためのフィルター５と、このフィルター５に通風するファンモータ６が備えられていた。
【０００５】
また、吸込み方向変更手段４の回転角度は、吸込み方向制御部７によって制御され、吹出し側にも吹出し方向変更手段８と吹出し制御部９を備えていた。
【先行技術文献】
【特許文献】
【０００６】
【特許文献１】特開２００８−１３６７０５号公報
【発明の概要】
【発明が解決しようとする課題】
【０００７】
しかしながら、上記特許文献１に記載されたような従来の気体浄化システムの構成では、図１０に示すように、部屋２４の空間には、破線矢印で示す循環流と、点線矢印で示す停滞流ができ、停滞流が大きくなると、部屋の空気を浄化するのに時間がかかることや、停滞流中に長時間浮遊できない埃は床に落下してしまい浄化されにくいという課題があった。
【０００８】
また、停滞流の発生を抑制するために、吸込み方向や吹出し方向を変更させる手段や汚れセンサーと連動させた動作なども行われていたが、根本的に鉛直面の吸込み口２では落下する埃を吸引するには風量を大きくして吸引しなければならず、機器の大型化や騒音が大きくなるという課題があった。
【０００９】
本発明は、前記従来の課題を解決するもので、部屋全体の循環流をスムーズにし、フィルター部によって清浄化が短時間で行え、少ない風量で清浄化が可能となり、低騒音な気体浄化システムを提供することを目的とする。
【課題を解決するための手段】
【００１０】
前記従来の課題を解決するために、本発明の気体浄化システムは、室内の空気を清浄化する空気清浄機を用いた気体浄化システムにおいて、前記空気清浄機は、空気を吸い込む吸込み面と、空気を吹き出す吹出口とを備え、前記吸込み面を水平方向に対して第１の角度αで傾斜させ、前記吹出口からの空気の吹出し方向を鉛直に対して後方に第２の角度βで傾斜させ、前記第１の角度αと前記第２の角度βの和が、８０゜から１００゜の範囲となるように構成した傾斜手段を備えたもので、部屋全体の循環流をスムーズに発生させることができ、吸込み面に設けたフィルター部によって清浄化が短時間で行え、フィルター
部を傾斜させることで落下してくる埃を吸引することが容易に行え、低風量で低騒音な空気清浄機とすることができる。
【発明の効果】
【００１１】
本発明の気体浄化システムは、吸込み面の第１の角度αと吐出方向の第２の角度βの和が、８０〜１００゜の範囲になるようにすることで、流速が速い空気清浄機本体付近の流れをスムーズに循環させることができ、フィルター部に回収されない循環渦領域が減少し、短時間で空気の清浄化が行える。
【図面の簡単な説明】
【００１２】
【図１】本発明の実施の形態１における気体浄化システムにおける空気清浄機の側面図
【図２】同気体浄化システムの動作を示す流れ図
【図３】同気体浄化システムの動作を示す流れ図（空気清浄機を正面から見た図）
【図４】同気体浄化システムの動作を示す流れ図
【図５】同気体浄化システムの動作を示す流れ図
【図６】同空気清浄機の側面図
【図７】本発明の実施の形態２における空気清浄機の側面図
【図８】同気体浄化システムの動作を示す側面図
【図９】従来の空気清浄機の側面図
【図１０】同空気清浄機の動作を示す流れ図
【発明を実施するための形態】
【００１３】
第１の発明は、室内の空気を清浄化する空気清浄機を用いた気体浄化システムにおいて、前記空気清浄機は、空気を吸い込む吸込み面と、空気を吹き出す吹出口とを備え、前記吸込み面を水平方向に対して第１の角度αで傾斜させ、前記吹出口からの空気の吹出し方向を鉛直に対して後方に第２の角度βで傾斜させ、前記第１の角度αと前記第２の角度βの和が、８０゜から１００゜の範囲となるように構成した傾斜手段を備えたもので、部屋全体の循環流をスムーズに発生させることができ、吸込み面に設けたフィルター部によって清浄化が短時間で行え、フィルター部を傾斜させることで落下してくる埃を吸引することが容易に行え、低風量で低騒音な空気清浄機とすることができる。
【００１４】
第２の発明は、特に、第１の発明の空気清浄機は、空気清浄機は、気体浄化システムを制御する制御手段と、吸込み面に備えたフィルター部と、空気を循環する送風機とを備え、前記制御手段は、前記送風機の送風量の大きさに応じて傾斜手段を制御するもので、流速に合わせた角度で空気を吹出すことができ、部屋全体に気流を行き渡らせることができる。すなわち、フィルター部の傾斜角度を変更することで吐出方向の角度も変更される。そして、大流量時で風速が速いときは、流れは直進性が強いので、傾斜角度を付けて曲げてやることで、必要なところへ空気を送り込むことができ、スムーズに循環する流れを作ることで清浄化を効率よく行うことができる。
【００１５】
第３の発明は、特に、第２の発明の制御手段は、送風機の送風量が大きい時は、第２の角度βを大きく取る方向に制御し、送風量が少ない時は、前記第２の角度βを小さくして鉛直方向に近づけるように傾斜手段を制御するもので、大流量時は壁面にぶつけるようにして壁面に沿った広い範囲を流し、低流量時は壁面に平行に吹き上げることで余分な気流を作ることなくスムーズに送風することができる。すなわち、空気を垂直に吹き上げることで、壁に当るなどして発生する渦流のような余分な気流が発生されにくいのでスムーズな循環流を形成することができるのである。
【００１６】
第４の発明は、特に、第２又は第３の発明の吸込み面に第１の角度αで傾斜させて備え
たフィルター部と送風機の間に、吸音処理を施したバッファ空間を設けて送風通路としたもので、送風機の吸込み口に空気をスムーズに流し込むことができ送風性能を高めることができるとともに、バッファ空間に吸音処理を施すことで低騒音化を実現することができる。
【００１７】
第５の発明は、第１〜４のいずれか一つの発明の傾斜手段は、空気を清浄化するフィルター部と、前記フィルター部を傾斜可動させる可動手段とを備え、吸引動作時に、前記可動手段によって吸込み面が傾斜するように動作すると共に、停止時には、前記吸込み面が鉛直方向になるように動作して、前記フィルター部は本体内部に収納される動作を制御手段が行うもので、収納性を向上させることができる。
【００１８】
第６の発明は、第５の発明の空気清浄機は、空気中の不純物を検出する不純物検知手段を備え、制御手段は、前記不純物検知手段が不純物を多く検出する傾斜角度までフィルター部が傾斜するように可動手段を制御するもので、不純物の量に応じて傾斜角度を制御することで、最適な角度に自動的に調整可能となり、部屋の大きさや形状などの影響を受けにくくすることができる。
【００１９】
以下、本発明の実施の形態について、図面を参照しながら説明する。なお、この実施の形態によって本発明が限定されるものではない。
【００２０】
（実施の形態１）
本発明の実施の形態１における気体浄化システムについて、図１〜６を用いて説明する。
【００２１】
図１は、本実施の形態における気体浄化システムの空気清浄機の側面図を示すものである。
【００２２】
図１に示すように、本実施の形態における気体浄化システムは、部屋の空気を流動する送風機１０と、空気中に含有する埃を回収するフィルター部１１とを備えた空気清浄機１２を用いたシステムである。
【００２３】
空気清浄機１２において、吸込み面１３とフィルター部１１は共に水平方向に対して第１の角度αで傾斜させて配置すると共に、フィルター部１１と空気を循環する送風機１０の間に、吸音処理を行ったバッファ空間１４を設けて送風通路としたものである。
【００２４】
そして、吹出口１５は、空気の吐出方向が鉛直に対して後方に第２の角度βで傾斜させた構成とし、前記第１の角度αと第２の角度βの和が、８０〜１００゜の範囲となるよう構成する傾斜手段１６を備えた構成とした。ここで、前記第１の角度αと前記第２の角度βの和が８０゜から１００゜の範囲とは、第１の角度αと第２の角度βが、ほぼ互いに余角の関係となるように構成することである。
【００２５】
ここで、１７は、不純物検知手段としてのダストセンサー、１８は、送風機１０を回転駆動するモータ、１９は、送風機１０の吸込み口、２０は、バッファ空間１４の内部壁面に処理した吸音材、２１は、傾斜手段１６に設けて空気の吐出方向を変更する方向変更手段、２２は、前記方向変更手段２１のルーバー、２３は、制御手段である。そして、図２に示す矢印は、部屋２４内部の空気の動きを示すものである。
【００２６】
以上のように構成された本実施の形態における気体浄化システムについて、以下その動作、作用を図２から図６を用いて説明する。
【００２７】
図２に示すように、空気清浄機１２を設置した位置から部屋２４の垂直壁２５方向にスムーズに送風するために、空気清浄機１２の吹出口１５からの空気の吹出し方向を第２の角度βとなるように傾斜手段１６を、モータなどの駆動手段（図示せず）を制御手段２３が制御しながら調整する。
【００２８】
そのとき、吸込み面１３の傾斜角度も連動して第１の角度αになるようにして、停滞流（例えば、図２中の点線矢印）の領域が少なくなるように部屋全体の循環流（例えば、図２中の破線矢印）をつくるように構成した。このとき、第１の角度αと第２の角度βの和が互いに余角の関係になるように構成する。ここでいう余角の関係とは、第１の角度αと第２の角度βの和が、ほぼ９０°に近い状態をいうもので、８０〜１００゜の範囲を示す。
【００２９】
そして、吸込み面１３とフィルター部１１は、共に水平方向に対して第１の角度αで傾斜させて配置すると共に、フィルター部１１と空気を循環する送風機１０の間に、吸音処理を行ったバッファ空間１４を設けて送風通路としたことで、送風機１０の吸込み口１９に空気をスムーズに流し込むことができ送風性能を高めるように構成した。
【００３０】
さらに、バッファ空間１４に吸音材２０を用いて吸音処理を施すことで、低騒音化を実現している。吸音材２０は、後で述べるフィルター部１１を傾斜可動させる可動手段２９構成に対応するために、フィルター部１１の角度が変化することを考慮して、収縮性の吸音材を用いている。例えば、折り返し構造のひだ状にして吸音材２０を壁面に沿って取り付けている。
【００３１】
また、空気清浄機１２は、本実施の形態における気体浄化システムを制御する制御手段２３によって、送風機１０の送風量を変化させ、風量が大きい時には、吹出し方向の第２の角度βを大きく取る方向に制御し、送風量が少ない時は、第２の角度βを小さくして鉛直方向に近づけるように可動制御することで、大流量時は、壁面にぶつけるようにして壁面に沿って広い範囲を流し、低流量時は、壁面に平行に吹き上げることで余分な気流を作ることなくスムーズに送風することができる。
【００３２】
図３に示すように、大流量時は、垂直壁面２５に、吹出し風をぶつけるようにすることで、壁面２５に沿った広い範囲に流れが発生し、図２のように部屋の天井面２６に沿って水平に流れた後、対向面２７を下降、さらに床面２８にそって空気清浄機１２の吸込み面１３に戻ってくる流れが発生する。
【００３３】
この流れによって、部屋全体の空気をスムーズに循環することができ、停滞流の領域を少なくすることができる。また、第１の角度αと第２の角度βを略余角の関係（２つの角度の和が８０から１００゜）とすることで、部屋の床面２８から９０゜に立ち上がる垂直壁面２５に向かう流れをスムーズに偏向することができる。
【００３４】
また、風量、風速にあわせて吐出角度を偏向する場合においても、床面２８と垂直壁面２５を常に余角の関係にすることで、部屋の角の流れを最も簡単な構成で案内することができる。ここで、停滞流の発生を抑制するためには、第１の角度αは、４５゜から９０゜、第２の角度βは０゜から４５゜が好ましく、この範囲の中で略余角を実現することが必要である。後述する実施の形態２のように吹出口１５と吸込み面１３を一体構成とすることで簡単な構成とすることができる。
【００３５】
また、図４に示すように、風量が少ないときは第１の角度βを小さくして鉛直方向に吹出し、できるだけ余分な渦流が発生しないように送風する。すなわち、空気を垂直に吹き上げることで、壁に当るなどして発生する渦流のような余分な気流が発生されにくいので
スムーズな循環流を形成することができるのである。
【００３６】
図５に風量が少なく流速が遅いときの部屋２４内の流れのイメージ図を示す。低流量時は吐出風速が遅いので、吸込み面１３から吸込む空気の流れ（流速の遅い流れ）の影響を受けやすく、部屋２４全体の空気を均一に吸引する流れを生じさせることができる。このように、流速が遅い時には、停滞流の領域が少なくなるので、壁にぶつけて発生する渦流のような余分な気流を発生させずに循環させることで、清浄化をスムーズに行うことができる。
【００３７】
また、図６に示すように傾斜手段１６は、フィルター部１１を傾斜可動させる可動手段２９を備え、吸引動作時には吸込み面１３が傾斜するように動作するとともに、停止時には吸込み面１３が鉛直方向になるように動作してフィルター部１１を本体内部に収納する動作を行うように構成した。
【００３８】
吹出口１５では、傾斜手段１６に設けた方向変更手段２１のルーバー２２によって風向が変更できる構成としている。
【００３９】
そして、本実施の形態における気体浄化システムは、制御手段２３によって、空気中の不純物を検出するダストセンサー１７が不純物を多く検出する傾斜角度にフィルター部１１の可動手段２９を制御することで、不純物の量に応じて傾斜角度を制御することができ、最適な角度に自動的に調整可能とし、部屋の大きさや形状などの影響を受けにくくすることができる。壁から離れたところに設置されてもフィルター部１１の傾斜によって流れが壁面にスムーズに誘導されるので循環流が起こりやすくなる。
【００４０】
このように、本実施の形態における気体浄化システムでは、吸込み面１３の第１の角度αと吐出方向の第２の角度βの和を８０゜から１００゜の範囲に設定することで、部屋２４内部の流れをスムーズに循環させることができ、フィルター部１１に回収されない停滞流の領域が減少され短時間で空気の清浄化が行える。また、フィルター部１１を傾斜させることで落下してくる埃を吸引することが容易に行え、低風量で低騒音な空気清浄機とすることができる。
【００４１】
（実施の形態２）
図７は、本発明の実施の形態２における気体浄化システムの空気清浄機の側面図である。なお、上記実施の形態１における気体浄化システムと同一部分には、同一符号を付してその説明を省略し、異なる部分についてのみ説明する。
【００４２】
図７に示す３０は、本実施の形態における気体浄化システムの空気清浄機１２の吹出口１５とフィルター部１１を一体で回転させる回転軸である。また、３１は、収縮自由な壁面で吹出し方向が変更されても送風機１０からの空気を漏らさず吹出口１５へ導くものである。
【００４３】
このような構成において、回転軸３０を中心に吹出口１５とフィルター部１１を一体で回転させることによって、吸込み面１３の第１の角度αと吹出口１５の吐出方向の第２の角度βが互いに余角の関係を維持しながら回転させることができる。図８は、第１の角度αを９０°付近とした時の側面図である。
【００４４】
このような構成によって、第１の角度βを変更しても、第１の角度αと第２の角度βが互いに余角の関係となるように構成することができ、部屋２４全体の循環流をスムーズに発生させることができ、フィルター部１１によって空気の清浄化が短時間で行え、しかもフィルター部１１を傾斜させることで、落下してくる埃を吸引することが容易に行え、低
風量で低騒音な空気清浄機とすることができる。
【産業上の利用可能性】
【００４５】
以上のように、本発明にかかる気体浄化システムは、室内の埃や花粉などの粒子を効率よく回収することができ、空気を清浄化することができる。そして、リビングや寝室などの家庭の部屋はもちろん、病院の病室や診察室、ホテルの各部屋など空気を清浄化する必要のある様々なところで使用することができる。
【符号の説明】
【００４６】
１０  送風機
１１  フィルター部
１２  空気清浄機
１３  吸込み面
１４  バッファ空間
１５  吹出口
１６  傾斜手段
１７  ダストセンサー（不純物検知手段）
１９  吸込み口
２０  吸音材
２３  制御手段
【図１】
2012250164.tif 000003
【図２】
2012250164.tif 000004
【図３】
2012250164.tif 000005
【図４】
2012250164.tif 000006
【図５】
2012250164.tif 000007
【図６】
2012250164.tif 000008
【図７】
2012250164.tif 000009
【図８】
2012250164.tif 000010
【図９】
2012250164.tif 000011
【図１０】
2012250164.tif 000012